(57)【特許請求の範囲】
【請求項１】
通信機能を有する携帯通信端末装置であって、
電話の着信情報またはメールの受信情報を発光により報知できる発光部と、
電話の着信情報またはメールの受信情報を音または振動により報知するかどうかを設定する報知設定部と、
前記報知設定部にて前記音および前記振動による報知をいずれも行なわないことが設定されている場合に周囲の明るさを検出する明るさ検出部と、
前記発光部の発光を制御する発光制御部であって、前記報知設定部にて前記音および前記振動による報知をいずれも行なわないことが設定され、前記明るさ検出部が検出した前記周囲の明るさが所定の明るさ以下である際に、前記発光部を発光させない発光制御部と、
を具備する携帯通信端末装置。
【請求項２】
前記所定の明るさを第一の明るさとした場合、
前記発光制御部は、検出された周囲の明るさが前記第一の明るさ以下であるため前記発光部を発光させないように前記発光部を制御した後に、検出された周囲の明るさが所定の第二の明るさより大きい際に、前記発光部を発光させるよう制御する請求項１記載の携帯通信端末装置。
【請求項３】
前記電話の着信情報または前記メールの受信情報の確認操作が検出されない場合、
前記明るさ検出部は、周囲の明るさを再度検出する請求項２記載の携帯通信端末装置。
【請求項４】
前記電話の着信情報および前記メールの受信情報の確認操作がいずれも検出された場合、
前記発光制御部は、発光による報知を行なわないよう発光部を制御する請求項１乃至３のいずれか記載の携帯通信端末装置。
【請求項５】
前記電話の着信情報は、電話を着信中であることを示す請求項１乃至４のいずれか記載の携帯通信端末装置。
【請求項６】
前記電話の着信情報は、不在着信が存在することを示し、
前記メールの受信情報は、未読メールが存在することを示す請求項１乃至４のいずれか記載の携帯通信端末装置。
【請求項７】
前記発光部は、ランプまたはディスプレイである請求項１乃至６のいずれか記載の携帯通信端末装置。
【発明の詳細な説明】
【技術分野】
【０００１】
本発明は、サイレントモード機能を有する携帯通信端末装置に関する。
【背景技術】
【０００２】
近年、電話の発着信またはメールの送受信が可能な携帯通信端末装置には、電話着信またはメール受信を報知する際に音による報知を行なわず、バイブレータ等を用いた振動によりそれらを報知する、いわゆるマナーモード機能が搭載されている。
【０００３】
また、携帯通信端末装置には、音だけではなく振動もさせず、発光のみによりそれらを報知する、いわゆるサイレントモード機能も搭載されている。
【０００４】
しかし、マナーモード設定またはサイレントモード設定を行なった携帯通信端末装置は発光により電話の発着信またはメールの送受信を報知するため、映画館など、周囲に光が漏れることが好ましくない場所での使用は好ましくないものであった。
【０００５】
例えば、特許文献１には、設定により、電話着信時に音および振動だけでなく発光をも抑制して報知を行なわない携帯電話機が記載されている。
【先行技術文献】
【特許文献】
【０００６】
【特許文献１】特開２００８−２２４０６公報
【発明の概要】
【発明が解決しようとする課題】
【０００７】
しかし、特許文献１に記載の携帯電話機の場合、電話着信を報知しない設定を行なうと、その設定を変更するまで電話着信の報知がなされず、報知してほしい場合は設定を変更する操作をする必要があった。
【０００８】
本発明の目的は、サイレントモード機能を有し、周囲の状況に応じた報知が可能な携帯通信端末装置を提供することにある。
【課題を解決するための手段】
【０００９】
本発明の一実施形態にかかる携帯通信端末装置は、通信機能を有する携帯通信端末装置であって、電話の着信情報またはメールの受信情報を発光により報知できる発光部と、電話の着信情報またはメールの受信情報を音または振動により報知するかどうかを設定する報知設定部と、前記報知設定部にて前記音および前記振動による報知をいずれも行なわないことが設定されている場合に周囲の明るさを検出する明るさ検出部と、前記明るさ検出部が検出した前記周囲の明るさが所定の明るさ以下である際に前記発光部を発光させない発光制御部と、を具備する。
【００１０】
前記発光制御部は、前記周囲の明るさが所定の明るさ以下であると前記明るさ検出部が検出した際に前記発光部を発光させなかった後、前記周囲の明るさが前記所定の明るさよりも大きいと前記明るさ検出部が検出した際に前記発光部を発光させて前記電話の着信情報または前記メールの受信情報を報知させることが好ましい。
【００１１】
前記電話の着信情報または前記メールの受信情報の確認操作が検出されない場合、
前記明るさ検出部は、周囲の明るさを再度検出することが好ましい。
【００１２】
前記電話の着信情報は、電話の着信中であることを示してもよい。
【００１３】
前記発光部は、ランプまたはディスプレイであってもよい。
【発明の効果】
【００１４】
本実施形態にかかる携帯通信端末装置は、明るさ検出部と発光制御部とを有し、サイレントモードが設定されている場合に、明るさ検出部によって周囲の明るさを検出し、その結果をもとに、発光部からの発光を随時制御することができる。そのため、周囲が暗く、発光してほしくない場合に発光させないよう制御できる。また、発光させないことで消費電流を削減することができる。
【図面の簡単な説明】
【００１５】
【図１】本発明の実施の形態の一例を示す携帯電話端末装置１００の外観斜視図である。
【図２】本発明の実施の形態の一例を示す携帯電話端末装置１００のブロック構成図である。
【図３】図２の制御部１０８を詳細に示したブロック構成図である。
【図４】メールを受信した際に適用されるプログラムのフローチャートである。
【図５】未読メールを確認する際に適用されるプログラムのフローチャートである。
【図６】（ａ）は、サイレントモードの設定画面を有する携帯電話端末装置１００の外観斜視図であり、（ｂ）は、暗所で発光部を発光させるかどうかを選択するための設定画面を有する携帯電話端末装置１００の外観斜視図である。
【図７】電話着信の際に適用されるプログラムのフローチャートの一部である。
【図８】電話着信の際に適用されるプログラムのフローチャートの一部である。
【図９】不在着信を確認する際に適用されるプログラムのフローチャートである。
【発明を実施するための形態】
【００１６】
本発明の一実施形態にかかる携帯通信端末装置を説明する。
【００１７】
〔構成〕
本発明の一実施形態にかかる携帯通信端末装置とは、発光部を備え、外部と通信できる端末装置であればよい。携帯通信端末装置としては、例えば、携帯電話端末装置、ＰＨＳ（Personal Handy-phone System）、外部と通信できるＰＤＡ（Personal Digital Assistant）等が挙げられる。
【００１８】
以下に、携帯通信端末装置の一例である携帯電話端末装置の構成について説明する。
【００１９】
図１は、携帯電話端末装置の外観斜視図である。なお、図１においては一例として表示部１０２にタッチパネルを有するストレートタイプの携帯電話端末装置１００を示す。タッチパネルには、例えば、静電容量方式、抵抗膜方式、光学式、超音波表面弾性波方式、赤外線遮光方式、電磁誘導方式、画像認識方式など種々の方式がある。
【００２０】
なお、携帯電話端末装置の具体例として、前述のようにストレートタイプの携帯電話端末装置１００を示しているが、他に、折り畳み型、スライド型などの携帯電話端末装置であってもかまわない。
【００２１】
図１に示す携帯電話端末装置１００の外観には、ランプ１０１、表示部１０２、光センサ１０３、受話口（レシーバー）１０４、送話口（マイク）１０５、操作部１０６が備えられている。
【００２２】
ランプ１０１は、電話の着信中であること、不在着信が存在することなどの電話の着信情報、または、新着メールを受信したこと、未読メールが存在することなどのメールの受信情報を、外部に対して発光することによりユーザーへ報知することができる。また、ランプ１０１は他に、アラーム日時到来などをユーザーへ報知することもできる。ランプ１０１は、ＬＥＤなどの発光素子により構成されている。ランプ１０１としては、例えば、ＬＥＤランプなどが挙げられる。ランプ１０１は、点灯、点滅など光を発してユーザーに報知する。
【００２３】
表示部１０２は、携帯電話端末装置１００に備えられた機能を実現するために各種情報１０７を表示する。各種情報１０７としては、例えば、図１に示すような電波状態表示１０７ａ、電池残量１０７ｂ、日付表示１０７ｃおよび時刻表示１０７ｄが挙げられる。各種情報１０７としては他に、機能メニュー、アドレス帳、電話の着信履歴、発信履歴、メールの送信履歴および受信履歴、データフォルダに保存された文字データおよび画像データなども含まれる。表示部１０２としては例えば、液晶表示部、有機ＥＬ（ＥＬＥＣＴＲＯ  ＬＵＭＩＮＥＳＣＥＮＣＥ）表示部、プラズマ表示部、電子ペーパーなどが挙げられる。表示部１０２が液晶表示部の場合、表示部１０２のバックライトを発光して各種情報１０７を表示する。また、表示部１０２が有機ＥＬ表示部の場合、表示部１０２の発光体を発光して各種情報１０７を表示する。
【００２４】
図１の場合、表示部１０２には、タッチパネル入力部が含まれる。なお、タッチパネル入力部は、状況に応じて表示部１０２の一部に現れる。
【００２５】
光センサ１０３は、周囲の明るさを検出する明るさ検出部として機能する。光センサ１０３は、図１においては携帯電話端末装置１００の上部に設けられているが、その設置場所は限定されず、周囲の環境を精度よく検出される場所であればかまわない。光センサ１０３としては、フォトトランジスタ，フォトダイオードなどを適用したものが挙げられる。
【００２６】
光センサ１０３は、前述の電話の着信情報またはメールの受信情報の報知に関してはサイレントモード設定がなされている場合に用いられるが、それ以外の場合の使用は特に限定されない。
【００２７】
受話口１０４は、後述する制御部１０８からの制御信号によって外部に音を出力する機能を有する。受話口１０４は例えば、通話相手の音声を出力することができる。
【００２８】
送話口１０５としては例えばマイクなどが挙げられ、音声などの外部からの音を入力する機能を有する。送話口１０５は、入力された音をアナログ信号としてＡ／Ｄコンバータに出力する。
【００２９】
操作部１０６は、ユーザーからの操作の入力を受け付ける。操作部１０６が受け付けたユーザーからの操作は、信号として制御部１０８に入力される。図１の場合、操作部１０６は、ボタン状であり、それが押圧されることで操作がなされる。
【００３０】
図１には図示していないが、携帯電話端末装置１００には、スピーカが設けられる。スピーカは、メロディ、呼び出し音などにより、電話の着信情報、メールの受信情報、アラーム日時到来などをユーザーに報知できる。スピーカの位置は特に限定されず、例えば、携帯電話端末装置１００の表面、側面または裏面に設けられる。
【００３１】
図２は、携帯電話端末装置１００のブロック構成図である。
【００３２】
振動部１０９は、制御部１０８からの制御信号によって機械的振動を生じる。振動部１０９は、例えば、モーターなどから構成され、電話の着信情報、メールの受信情報、アラーム日時到来などを機械的振動としてユーザーへ報知する。
【００３３】
ＲＯＭ（ＲＥＡＤ  ＯＮＬＹ  ＭＥＭＯＲＹ）１１０は、携帯電話端末装置１００に備えられた各種処理を実行するためのプログラムやデータなどを記憶する。
【００３４】
ＲＡＭ（ＲＡＮＤＯＭ  ＡＣＣＥＳＳ  ＭＥＭＯＲＹ）１１１は、制御部１０８からアクセス可能であり、制御部１０８が各種処理を実行するための一時記憶領域（バッファ領域とも呼ぶ）として利用される。
【００３５】
無線回路１１２は、アンテナ１１３から入力された所定の高周波信号に復調処理及び復号処理を施してデジタルの音声信号へと変換する。また、制御部１０８から入力されたデジタルの音声信号には符号化処理及び変調処理を施して、高周波信号に変換する。そして、無線回路１１２は高周波信号をアンテナ１１３へ出力する。
【００３６】
アンテナ１１３は、所定の周波数帯域を受信して高周波信号として無線回路１１２に出力する。また無線回路１１２より出力された高周波信号を所定の周波数帯域の信号として出力する。
【００３７】
制御部１０８は、携帯電話端末装置１００に備えられたソフトウェアおよびハードウェアを制御する。例えば、制御部１０８は、表示部１０２におけるタッチパネル入力部、操作部１０６、など、ユーザーにより受け付けた入力操作を検知して、携帯電話端末装置１００に備えられた各種機能を実行する。また、制御部１０８は、ＲＯＭ１１０またはＲＡＭ１１１と協働して携帯電話端末装置１００に記憶されたプログラムを実行する。
【００３８】
制御部１０８としては、例えば、制御用ＣＰＵなどが挙げられる。
【００３９】
図３には、図２における制御部１０８を具体的に示す。図３に示すように制御部１０８には、明るさ判別部１１４、発光制御部１１５、スピーカ制御部１１６および振動制御部１１７が設けられる。
【００４０】
明るさ判別部１１４は、光センサ１０３により検出された周囲の明るさが所定のしきい値以下であるかどうかを判別する。所定のしきい値は、ユーザーの操作により設定を変更してもよい。
【００４１】
なお、所定のしきい値は、１つだけ設定されてもよいし、また、複数設定されてもよい。所定のしきい値が複数設定されるとは、例えば、後述する発光制御部１１５によって周囲の明るさを判別するための所定のしきい値を第一の明るさとした場合、周囲の明るさが第一の明るさ以下であると発光制御部１１５が判別した後、再度、周囲の明るさを発光制御部１１５によって判別される際に用いられる所定のしきい値（第二の明るさ）が第一の明るさと異なる場合をいう。
【００４２】
なお、第一の明るさと第二の明るさとは同じでもかまわない。
【００４３】
また、所定のしきい値は、後述する電話の着信情報に関するフロー（図４のステップＳ７および図５のステップＳ１１）ならびにメールの受信情報に関するフロー（図７のステップＳ２６および図９のステップ４０）にて用いられるが、それらのしきい値は同じであっても異なっていてもよい。
【００４４】
発光制御部１１５は、明るさ判別部１１４における判別結果をもとに、発光部の発光を制御する。例えば、図１の携帯電話端末装置１００の場合、発光部であるランプ１０１および表示部１０２の発光を制御する。携帯電話端末装置１００がサイレントモード設定であって、光センサ１０３で検出した明るさが所定のしきい値以下である場合、発光制御部１１５は、ランプ１０１および表示部１０２が発光しないように制御することができる。これにより、携帯電話端末装置１００の消費電力量をより十分に低減することが可能となる。なお、発光制御部１１５により制御される発光は、電話の着信情報またはメールの受信情報の報知以外の発光も含まれる。（例えば、アラーム設定時刻到来を報知する発光など）。
【００４５】
スピーカ制御部１１６および振動制御部１１７は、サイレントモードの設定がなされた場合に、それぞれスピーカおよび振動部１０９を制御することで、音を出させず、振動させないようにする。
【００４６】
以上のように、タッチパネル入力部を有する携帯電話端末装置１００の例をもとにして説明したが、タッチパネル入力部のかわりにキー入力部を有する携帯電話端末装置１００であってもよい。ユーザー操作によりキー入力部も発光する場合、前述のようにサイレントモード設定であって、光センサ１０３で検出した明るさが所定のしきい値以下である場合、発光制御部１１５は、ランプ１０１および表示部１０２とともにキー入力部も発光しないように制御できる。
【００４７】
発光制御部１１５による発光部の制御は、発光部における発光量が大きい端末ほど（例えば、ディスプレイが大きい、１つの端末に２つ以上のディスプレイを有するなど）、より十分に前述の効果を発揮することができる。
【００４８】
〔動作処理〕
次に、メール受信処理を実行するプログラムについて図４〜５を用いて説明する。なお、携帯電話端末装置１００としては、図１に示すようなストレートタイプであり、タッチパネルを備えたものを例に挙げる。
【００４９】
まず、ステップＳ１にてメールを受信した後は、サイレントモードの設定がなされているかどうかを検出する（ステップＳ２）。なお、ステップＳ２におけるサイレントモードの設定は、例えば、図６（ａ）に示すように、ユーザー操作によって表示部１０２に現れた選択画面１１８において、サイレントモードを選択することにより行なわれる。なお、携帯電話端末装置１００においてサイレントモードの設定を行なう部位を、報知設定部という。
【００５０】
サイレントモード設定が検出される場合は（ステップＳ２：ＹＥＳ）、暗い場所において発光させない設定がなされているかどうかを検出する（ステップＳ３）。例えば、図１に示す携帯電話端末装置１００の場合、暗い場所にて、ランプ１０１および表示部１０２のいずれも発光をさせないことをいう。ステップＳ３における、暗い場所にて発光させないための設定は、例えば、図６（ｂ）に示すように、ユーザー操作により表示部１０２に現れた画面１１５にて、「暗所で発光させない」ことを選択することにより行なわれる。
【００５１】
一方、サイレントモード設定が検出されない場合（ステップＳ２：ＮＯ）、音または振動によりメール受信を報知する（ステップＳ４）。図４においてステップＳ４以降のフローを省略している。なお、ステップＳ４以降、受信メールおよび不在着信の確認操作が検出された場合は音または振動による報知を終了する。一方、前記操作が検出されない場合は、未読メールおよび不在着信の確認操作があるまで報知を続け、確認操作があれば報知
を終了する。
【００５２】
暗い場所において発光させない設定が検出される場合（ステップＳ３：ＹＥＳ）、発光によってメール受信を報知する設定がなされているかどうかを検出する（ステップＳ５）。この設定は、例えば、メール受信時にランプを点滅させる設定をいう。
【００５３】
一方、暗い場所において発光させない設定が検出されない場合（ステップＳ３：ＮＯ）、通常のサイレントモード設定であるため、発光によりメール受信を報知する（ステップＳ６）。図４においてステップＳ６以降のフローは省略している。なお、ステップＳ６以降は、受信メールおよび不在着信の確認操作が検出された場合は発光による報知を終了する。一方、前記操作が検出されない場合は、未読メールおよび不在着信の確認操作があるまで報知を続け、確認操作があれば報知を終了する。
【００５４】
発光によってメール受信を報知する設定を検出した場合（ステップＳ５：ＹＥＳ）、携帯電話端末装置１００の周囲が明るいかどうかを検出する（ステップＳ７）。具体的には、光センサ１０３により検出された周囲の明るさが所定のしきい値よりも大きいか、しきい値以下かを判別する。一方、発光によってメール受信を報知する設定を検出しない場合（ステップＳ５：ＮＯ）、つまり、メール受信を発光により報知する設定がなされていない場合、携帯電話端末装置１００は発光しない（ステップＳ９）。
【００５５】
携帯電話端末装置１００の周囲が明るい、つまり、周囲の明るさが所定のしきい値よりも大きい場合（ステップＳ７：ＹＥＳ）、発光によりメール受信が報知する（ステップＳ８）。一方、携帯電話端末装置１００の周囲が暗い、つまり、周囲の明るさが所定のしきい値以下である場合（Ｓ７：ＮＯ）、携帯電話端末装置１００は発光しない（ステップＳ９）。
【００５６】
ステップＳ８およびステップＳ９の後、まだ確認していない受信メール、つまり未読メールを、図５に示すステップＳ１０のように、発光により報知するかどうかを検出する。発光により未読メールを報知する設定としては、例えば、未読メールがある場合にランプを点滅させる設定が挙げられる。
【００５７】
なお、未読メールの存在を報知する設定と、前述した受信メールを報知する設定と、がそれぞれ別々に設定された場合を例に挙げて説明しているが、その他に、未読メールの報知だけでなく、受信メールの報知もまとめて設定されてもよい（例えば、お知らせランプ設定など）。その場合、ランプ設定をＯＮにすると、受信メールおよび未読メールのいずれも報知設定され、ランプ設定をＯＦＦにすると、受信メールおよび未読メールのいずれも報知しない設定となる。
【００５８】
未読メールを発光により報知する設定が検出された場合（Ｓ１０：ＹＥＳ）、ステップＳ７の場合と同様にして、携帯電話端末装置１００の周囲が明るいかどうかを検出する（ステップＳ１１）。
【００５９】
一方、未読メールを発光により報知する設定が検出されない場合（Ｓ１０：ＮＯ）、携帯電話端末装置１００は発光しない（ステップＳ１２）。ステップＳ１２の後のフローについては後述する。
【００６０】
携帯電話端末装置１００の周囲が明るい、つまり、周囲の明るさが所定のしきい値よりも大きい場合（Ｓ１１：ＹＥＳ）、発光により未読メールが報知される（ステップＳ１３）。一方、携帯電話端末装置１００の周囲が暗い、つまり、周囲の明るさが所定のしきい値以下である場合（Ｓ１１：ＮＯ）、携帯電話端末装置１００は発光しない（ステップＳ
１４）。
【００６１】
ステップＳ１３およびステップＳ１４の後、全ての未読メールの確認操作がなされたかどうかを検出する（ステップＳ１５）。
【００６２】
ここで、確認操作とは、未読メールの場合、例えば、待ち受け画面に表示された未読メールの存在を示すアイコンを選択すること、メール受信履歴画面を立ち上げることなどをいう。また、後述する不在着信の確認操作とは、例えば、待ち受け画面に表示された不在着信の存在を示すアイコンを選択すること、着信履歴画面を立ち上げることなどをいう。
【００６３】
前述した、全ての未読メールの確認操作とは、例えば、未読メールが３件存在する場合は、３件全ての未読メールを確認する操作をいう。
【００６４】
なお、前述した第一の明るさおよび第二の明るさのように、周囲の明るさを判断するための所定のしきい値は複数設定されていてもよい。
【００６５】
全ての未読メールの確認操作が検出された場合（ステップＳ１５：ＹＥＳ）、電話の不在着信が存在するかどうかを検出する（ステップＳ１６）。ステップＳ１６は、未読メール以外に報知すべき情報がある場合をフォローするために設けられている。一方、全ての未読メールの確認操作が検出されない場合（ステップＳ１５：ＮＯ）、フローは再びステップＳ１１に戻り、携帯電話端末装置１００の周囲が明るいかどうかを検出する。
【００６６】
このように、ステップＳ１５において、全ての未読メールの確認が検出されない場合、ステップＳ１１にフローが戻ることにより、携帯電話端末装置１００の周囲の明るさに変化があった場合、周囲の明るさの変化に合わせて未読メールを発光により報知するかどうかを変更することができる。例えば、未読メールを有する携帯電話端末装置１００が映画館内に存在する場合、映画館内では発光はなされない。しかし、映画館から外に出た際に、ステップＳ１５からステップＳ１１へフローが移行することで、光センサ１０３が周囲の明るさを検出して発光による未読メール報知を迅速に行なうことができる。これにより、発光が可能な周囲の環境にて、ユーザーに対して未読メールの存在を迅速に報知することができる。
【００６７】
不在着信が検出された場合（ステップＳ１６：ＹＥＳ）、フローは後述する図９のステップＳ３８に移る。なお、ステップＳ３８以降のフローでは、不在着信が存在する場合の処理を示している。ステップＳ１５からステップＳ１６を経てステップＳ３８にフローが移行することで、未読メールについての確認が終わっても、不在着信があった場合、その不在着信の存在を報知することができる。
【００６８】
一方、不在着信が検出されなかった場合（ステップＳ１６：ＮＯ）、つまり、未読メール以外に報知すべき情報が無い場合、報知を終了する（ステップ１７）。
【００６９】
ステップＳ１２の後、ステップＳ１５と同様にして、全ての未読メールの確認操作がなされたかどうかを検出する（ステップＳ１８）。全ての未読メールの確認操作が検出された場合（ステップＳ１８：ＹＥＳ）、ステップＳ１６と同様にして、電話の不在着信が存在するかどうかを検出する（ステップＳ１９）。一方、全ての未読メールの確認操作が検出されない場合（ステップＳ１８：ＮＯ）、フローは再びステップＳ１２に戻る。
【００７０】
不在着信が検出された場合（ステップＳ１９：ＹＥＳ）は後述する図９のステップＳ３８に移り、不在着信が検出されなかった場合（ステップＳ１９：ＮＯ）、報知を終了する（ステップ１７）。
【００７１】
次に、電話の着信処理を実行するプログラムについて図７〜９を用いて説明する。なお、図７および８には着信に関するフローを、図９には着信後に不在着信が存在する際のフローを示す。
【００７２】
ステップＳ２０、ステップＳ２１、ステップＳ２３およびステップＳ２５は、電話着信かメール受信かが異なる以外はそれぞれ、ステップ１、ステップＳ２、ステップＳ４およびステップＳ６と同様であるため、説明を省略する。
【００７３】
電話着信を発光によって報知する設定を検出した場合（ステップＳ２４：ＹＥＳ）、携帯電話端末装置１００の周囲が明るいかどうかを検出する（ステップＳ２６）。
【００７４】
一方、電話着信を発光によって報知する設定を検出しない場合（ステップＳ２４：ＮＯ）、図８に示すように発光せず（ステップＳ３３）、その後、通話操作を検出する（ステップＳ３４）。なお、通話操作とは、通話に移行させるためのボタンを押すなどの操作をいう。発光報知していないが、もしユーザーが着信に気づいて通話操作が検出されると（ステップＳ３４：ＹＥＳ）、通話処理に移行する（ステップＳ３５）。
【００７５】
なお、ステップＳ３５における通話処理は、例えば、通話開始ボタンが押されるなどして通話が開始してから、通話終了ボタンが押されるなどして通話が終了することをいう。
【００７６】
一方、通話操作が検出されないと（ステップＳ３４：ＮＯ）、相手からの着信が終了したかどうかを検出する（ステップＳ３６）。着信の終了が検出されると（ステップＳ３６：ＹＥＳ）、図９に示すように、ステップＳ３８にフローを移行する。一方、着信の終了が検出されないと（ステップＳ３６：ＮＯ）、フローは再びステップＳ３３に戻る。
【００７７】
ステップＳ２６、ステップＳ２７およびステップＳ２８は、電話着信かメール受信かが異なる以外はそれぞれ、ステップＳ７、ステップＳ８およびステップ９と同様であるため、説明を省略する。
【００７８】
ステップＳ２７およびステップＳ２８の後、通話操作を検出する（ステップＳ２９）。
【００７９】
通話操作が検出されると（ステップＳ２９：ＹＥＳ）、フローは通話処理に移行したのち（ステップＳ３０）、図９のステップＳ３７において不在着信があるかどうかを検出する。
【００８０】
一方、通話操作が検出されないと（ステップＳ２９：ＮＯ）、相手からの着信が終了したかどうかを検出する（ステップＳ３１）。
【００８１】
着信の終了が検出されると（ステップＳ３１：ＹＥＳ）、電話着信報知を行なっている場合は電話着信報知を終了し（ステップＳ３２）、図９のステップＳ３７において不在着信があるかどうかを検出する。
【００８２】
一方、着信の終了が検出されないと（ステップＳ３１：ＮＯ）、フローは再びステップＳ２６に戻り、携帯電話端末装置１００の周囲が、明るいかどうかを検出する。
【００８３】
このように、ステップＳ３１において着信の終了が検出されない場合に、ステップＳ２６にフローが戻ることにより、携帯電話端末装置１００の周囲の明るさに変化があった場合に、明るさの変化に合わせて着信報知を発光により報知するかを変更することができる。例えば、映画館などの暗い場所にて着信を受けた際、ステップＳ２８のように発光がな
く、また、ステップＳ２９にてユーザーによる通話操作がなかったとしても、ステップＳ３１にて着信が終了していない場合、再び、ステップＳ２６にて周囲が明るいかどうかを検出する。その際、携帯電話端末装置１００が暗い場所から明るい場所に移動していれば、発光により電話着信が報知されることになる。よって、ユーザーは、電話着信に気づき、早急に通話に移ることができる。
【００８４】
図９のステップＳ３７において、不在着信の存在を検出した場合（ステップＳ３７：ＹＥＳ）、発光により不在着信を報知するかどうか検出する（ステップＳ３８）。一方、不在着信の存在を検出しなかった場合（ステップＳ３７：ＮＯ）、未読メールが存在するかどうかを検出する（ステップＳ３９）。
【００８５】
未読メールの存在を検出した場合（ステップＳ３９：ＹＥＳ）、フローは図５のステップ１０に移行する。一方、未読メールの存在を検出しなかった場合（ステップＳ３９：ＹＥＳ）、フローは図５のステップＳ１７に移り、報知を終了する。
【００８６】
ステップＳ３８とステップＳ４０〜ステップＳ４７は、不在着信か未読メールかが異なる以外はそれぞれ、ステップＳ１１とステップ１３〜ステップＳ１８と同様である。
【００８７】
なお、ステップＳ４５にて未読メールの存在が検出された場合、フローは図５のステップＳ１０に移る。一方、ステップＳ４５にて未読メールの存在が検出されなかった場合、フローは図５のステップＳ１７に移り、報知を終了する。
【００８８】
また、ステップＳ４７にて未読メールの存在が検出された場合、フローは図５のステップＳ１０に移り、ステップＳ４７にて未読メールの存在が検出されなかった場合、フローは図５のステップＳ１７に移って報知を終了する。
【符号の説明】
【００８９】
１００  携帯電話端末装置
１０１  ランプ
１０２  表示部
１０３  光センサ
１０４  受話口
１０５  送話口
１０６  操作部
１０７ａ  電波状態表示
１０７ｂ  電池残量
１０７ｃ  日付表示
１０７ｄ  時刻表示
１０８  制御部
１０９  振動部
１１０  ＲＯＭ
１１１  ＲＡＭ
１１２  無線回路
１１３  アンテナ
１１４  明るさ判別部
１１５  発光制御部
１１６  スピーカ制御部
１１７  振動制御部
【図１】
0005473799.tif 000002
【図２】
0005473799.tif 000003
【図３】
0005473799.tif 000004
【図４】
0005473799.tif 000005
【図５】
0005473799.tif 000006
【図６】
0005473799.tif 000007
【図７】
0005473799.tif 000008
【図８】
0005473799.tif 000009
【図９】
0005473799.tif 000010